(57)【要約】【課題】希少糖含有シロップの用途を拡大することを目的として、その汎用性を拡大するために、吸湿に対して安定性が高く、安価に粉末化することが可能な方法を提供すること。【解決手段】賦形剤として３０質量％水溶液における粘度が４０ｍＰａ・ｓ以上、１０質量％水溶液における粘度が２０ｍＰａ・ｓ以下である澱粉分解物を選択し、澱粉分解物に対して希少糖含有シロップが０．３３以上０．８２未満となるように配合した上で粉末化を行うことで、吸湿に対する安定性が高く、また水に対する溶解性にも優れた希少糖含有粉末が得られる。【選択図】なし【特許請求の範囲】
【請求項１】
（Ａ）希少糖含有シロップ、（Ｂ）澱粉分解物を含有し、その固形分の構成質量比（Ａ）／（Ｂ）が０．３３以上０．８２未満であることを特徴とする希少糖含有粉末。
【請求項２】
澱粉分解物が３０質量％水溶液における粘度が４０ｍＰａ・ｓ以上、１０質量％水溶液における粘度が２０ｍＰａ・ｓ以下であることを特徴とする、請求項１に記載の希少糖含有粉末。
【請求項３】
（Ａ）希少糖含有シロップ、（Ｂ）澱粉分解物を、その固形分の構成質量比（Ａ）／（Ｂ）が０．３３以上０．８２未満であるように配合し、粉末化することを特徴とする希少糖含有粉末の製造方法。
【請求項４】
請求項１または２に記載の希少糖含有粉末を原料とする飲食品。
【請求項５】
飲食品が粉末飲料、もしくは粉末スープである、請求項４に記載の飲食品。
【請求項６】
飲食品が粉末調味料、もしくミックス粉はである、請求項４に記載の飲食品。
【請求項７】
飲食品が、和洋菓子、もしくはベーカリー食品である、請求項４に記載の飲食品。
【発明の詳細な説明】
【技術分野】
【０００１】
本発明は良好な甘味と優れた生理機能を示す希少糖含有シロップの、粉末化技術に関する。
【背景技術】
【０００２】
希少糖とは、糖の基本単位である単糖のうち、自然界に大量に存在するＤ−グルコース（ブドウ糖）に代表される「天然型単糖」に対して、自然界に微量にしか存在しない単糖を「希少糖」と定義付けられる糖のことである。単糖は全部で５９種類あり、そのうち天然型単糖は７種類、希少糖は５２種類確認されている。希少糖の存在量は非常に少なく、例えばＤ−アロースは、Ｄ−グルコース（ブドウ糖）に比べて圧倒的に存在量が少ない。
【０００３】
天然型単糖であるＤ−グルコース、Ｄ−フラクトース、または異性化糖を原料とし、特許文献１に開示される手法により得られる希少糖を含有するシロップであり、希少糖として主にＤ−プシコース及びＤ−アロースが含まれるように製造されたものが希少糖含有シロップであり、市販品「レアシュガースウィート」（発売元：（株）レアスウィート、販売者：松谷化学工業（株））として、容易に入手することができる。希少糖含有シロップに関する飲食品分野の技術として、高甘味度甘味料に対する呈味改良組成物およびその応用が特許文献２に、食感食味の優れたベーカリー製品及びその製造法が特許文献３に、味質の改善された酒類およびビール風味飲料、およびその製造方法が特許文献４に開示されている。すなわち、希少糖や希少糖含有シロップには独特の甘味が備わっており、その応用範囲は極めて広い。
【０００４】
このような甘味料を粉末化することで、その応用範囲はさらに広がることが期待される。具体的には粉末飲料、粉末調味料への適用が容易に可能となる。またベーカリー製品や和洋菓子の仕込み作業において、粘度のある液状品よりも粉体の方が明らかに計量しやすく、また計量後には他の粉末原料と混和した状態での一時保管が可能で、作業場の省スペース化と仕込み作業自体の効率化を図ることができる。粉末化の方法としては小麦粉等の粉体原料に吸着させることが容易であるが、汎用性の面から、冷水や熱水に容易に溶解する粉末であることが望ましい。
【０００５】
しかしながら、商業ベースで流通している希少糖含有シロップは極めて吸湿性が高く、単体での粉末は極めて困難であった。一般的なデキストリンを賦形剤として混和した場合でも、水分をうまく飛ばすことができず、粉末化がかなり困難であることが明らかとなった。また、特許文献５には機能性異性化糖を複合体結晶糖質に関する技術が開示されているが、安価な製造方法の確立が実現しておらず、商業的に結晶あるいは粉末の希少糖単体を販売することは現状困難の状況である。
【先行技術文献】
【特許文献】
【０００６】
【特許文献１】国際公開ＷＯ２０１０／１１３７８５
【特許文献２】特許公開２０１２‐７０７０８号公報
【特許文献３】特許公開２０１２−７０６７８７号公報
【特許文献４】特許公開２０１２‐６０９３０号公報
【特許文献５】特許公開２０１１−２０５９１３号公報
【発明の概要】
【発明が解決しようとする課題】
【０００７】
本発明の課題は、独特の甘味が備わっており、広範な応用範囲が期待される希少糖含有シロップの用途を拡大することを目的として、その汎用性を拡大するために、吸湿に対して安定性が高く、また冷水や熱水に対する溶解性にも優れた粉末を安価に製造する方法を提供することにある。
【課題を解決するための手段】
【０００８】
本発明者らは、上記課題を解決すべく鋭意検討した結果、賦形剤として特定の澱粉分解物を選択し、一定量を配合した上で粉末化を行うことで、吸湿に対する安定性が高く、また水に対する溶解性にも優れた希少糖含有粉末が得られることを見出した。この粉末を用いることで、配合した飲食品にシロップの場合と同様に良好な甘味を実現することを確認し、本発明を完成した。
すなわち、本発明は以下を提供するものである。
１）（Ａ）希少糖含有シロップ、（Ｂ）澱粉分解物を含有し、その固形分の構成質量比（Ａ）／（Ｂ）が０．３３以上０．８２未満であることを特徴とする希少糖含有粉末。
２）澱粉分解物が３０質量％水溶液における粘度が４０ｍＰａ・ｓ以上、１０質量％水溶液における粘度が２０ｍＰａ・ｓ以下であることを特徴とする、１）に記載の希少糖含有粉末。
３）（Ａ）希少糖含有シロップ、（Ｂ）澱粉分解物を、その固形分の構成質量比（Ａ）／（Ｂ）が０．３３以上０．８２未満であるように配合し、粉末化することを特徴とする希少糖含有粉末の製造方法。
４）１）または２）に記載の希少糖含有粉末を原料とする飲食品。
５）飲食品が粉末飲料、粉末ゼリーもしくは粉末スープである、４）に記載の飲食品。
６）飲食品が粉末調味料、もしくミックス粉はである、４）に記載の飲食品。
７）飲食品が、和洋菓子、もしくはベーカリー食品である、４）に記載の飲食品。
【発明の効果】
【０００９】
本発明によれば、独特の良好な甘味を有する希少糖含有シロップを、スプレードライ等の既存の設備を改変することなく粉末をすることが可能となる。本発明により得られる希少糖含有粉末により、希少糖含有シロップの粉末飲料や粉末調味料といった粉末食品への応用が簡単にできるようになる。また２次加工を行う際に粉末原料の方が経時的な変質が起こりにくく、カビ等の腐敗に対する耐性が向上するため保管が容易となり、計量もしやすいということで作業現場での取り扱いが容易になる。加えて粉末化が可能になることで他の粉末原料と混合したミックス製品としての応用も可能となる。さらには焼き菓子など、特にクッキーなど乾燥したものの場合、粉末の方が、生地水分を抑えることができるため焼き上がりが早いという利点もある。
【発明を実施するための形態】
【００１０】
本発明の希少糖含有粉末は、（Ａ）希少糖含有シロップ、（Ｂ）澱粉分解物を含有することを特徴とし、その固形分の構成質量比（Ａ）／（Ｂ）が０．３３以上０．８２未満であることで、粉末化を実現する。希少糖含有シロップの比率が０．３より低いと希少糖含有シロップ独特の甘味効果が得られにくくなり、０．８２より高いと粉末化しても吸湿性が高くなり凝固してしまう恐れがある。
【００１１】
本発明でいう希少糖含有シロップの代表例として、主成分がＤ−グルコース、Ｄ−フラクトース、希少糖として主にＤ−プシコース及びＤ−アロースが含まれるように製造された市販品「レアシュガースウィート」があるが、本発明の希少糖含有シロップはこれに限定されず、単糖（Ｄ−グルコースやＤ−フラクトース）にアルカリを作用させ、１９世紀後半に発見された反応、ロブリー・ドブリュイン−ファン  エッケンシュタイン転位反応やレトロアルドール反応とそれに続くアルドール反応を起こさせ、生じた希少糖を含む各種単糖のシロップを広く希少糖含有シロップと呼ぶことができる。さらには、希少糖含有シロップは、希少糖（例えば、Ｄ−ソルボース、Ｄ−タガトース、Ｌ−ソルボース、Ｄ−プシコース、Ｄ−アロース、Ｄ−アルトロースなど）を適宜選択し、希少糖の水溶液及び一般的なシロップ（液糖）に適宜混合することでも得ることができる。
【００１２】
本発明でいう澱粉分解物とは、食用澱粉および／またはエーテル化、エステル化、架橋等を施した加工澱粉を１種もしくは２種以上混合したものを、後述する処理で加水分解して得られるものをいう。食用澱粉並びに加工澱粉の原料はキャッサバ、サゴ、馬鈴薯、甘藷、コーン、米、小麦等が例示され、さらにこれらのワキシ種、ハイアミロース種を用いることができ、これらの２種以上を混合して使用することもできる。加水分解の方法としては、酸処理、アルカリ処理、酸化剤による酸化処理、酵素処理、焙焼処理等をあげることができ、これらの２つ以上の方法を併用しても差し支えない。澱粉の加水分解に用いられる酸は、例えば塩酸、硝酸等の鉱酸が好ましく、それ以外に有機酸、例えば、蓚酸、クエン酸、リンゴ酸等の酸を添加することができる。アルカリとしては水酸化ナトリウム、水酸化カリウム等があげられる。酸化剤としては次亜塩素酸ナトリウム、次亜塩素酸カルシウム、さらし粉、過酸化水素、過マンガン酸カリウムなどがあげられる。また酵素としては各種澱粉加水分解酵素を用いることができ、好ましくは液化型α−アミラーゼをあげることができる。市販品例としてクライスターゼＫＤ（大和化成(株)社製）やターマミル１２０Ｌ（ノボザイムズジャパン社製）などがあるが、これらに限定されるものではない。
【００１３】
一般的になされている澱粉分解物の製造法としては、例えば以下の方法を例示できる。即ち、まず２０〜４０％の澱粉懸濁液を調整し、これに適量の蓚酸もしくはαーアミラーゼを加え加熱して１次液化し、次いで蓚酸を用いた場合は炭酸カルシウム等の中和剤でｐＨ５〜７に中和する。また、αーアミラーゼを用いた場合は加圧蒸煮して溶解困難な澱粉部分を完全に溶解させると同時に酵素を失活させて加水分解を一旦停止した後、この液に新たにαーアミラーゼを添加して所望の程度にまで第２段の液化を行ない、液化終了後、再度液を加圧煮沸若しくは酸を添加して酵素を失活させて反応を停止させる。次いで、上記何れの場合も処理液に活性炭を加えて脱色濾過し、イオン交換樹脂で処理することにより、精製した液状形態の所望の澱粉分解物を得ることができる。またこの液をスプレー乾燥又はドラム乾燥することにより粉末形態の所望の澱粉分解物を得ることができる。
【００１４】
また酸化処理の方法は、湿式反応であれば公知の方法から任意に選択できるが、次亜塩素酸塩を使用する場合の添加量は澱粉に対して有効塩素として０．５％〜１０％、次亜塩素酸塩添加中及び反応中の温度は２０〜５０℃、ｐＨは７〜１１の範囲で反応し、反応終了後は還元剤で残存する次亜塩素酸塩を還元し、過剰なアルカリを酸で中和して脱水、洗浄、乾燥して製品とすることが一般的である。
【００１５】
本発明の希少糖含有粉末を製造する際の乾燥方法としては、熱風乾燥、噴霧乾燥、真空乾燥、凍結乾燥、ドラムドライなどの一般的な乾燥方法で調整されたものがよいが、低コストで連続大量生産が可能である噴霧乾燥で調整されたものが好ましい。この際には、結晶糖や溶解性の調整のための低分子のデキストリン、各種糖アルコール、増粘多糖類等を適宜加えて粉末化することができる。
【００１６】
本発明でいう希少糖含有粉末を原料とする飲食品は希少糖含有粉末を利用した飲料、食品、それらの製造するための半製品をさし、具体的には各種粉末飲料、各種粉末調味料、各種ベーカリー製品、和洋菓子、麺製品、各種ミックス粉などが例示されるが、これらに限定されるものではない。
【００１７】
本発明でいう粉末飲料とは、加水、もしくは液状物を加え溶解もしくは分散させ、飲用に調製する粉末状の飲料の素をいう。速やかに溶解もしくは分散するものが好ましく、形態は顆粒状が適しているが、特に粉末の粒子径は定めるものではない。また、粉末または顆粒を塊状に成形し、タブレット状等の形態の固形状飲料とすることができる。粉末飲料の例として、調整ココアパウダー、チョコレート飲料、紅茶、コーヒー、茶、イチゴミルク、ヨーグルト飲料、エネルギードリンク、スポーツドリンクなどが挙げられる。従来市販されている粉末清涼飲料や調整ココアにおいては、紅茶、コーヒー、日本茶、ココア、果汁粉末、果肉等に加え、甘味料成分として蔗糖、高甘味度甘味料等が使用される他、乳製品、乳化剤、食塩、香料、植物油脂、着色料、ｐＨ調整剤、塩類、酸味料、調味料などが添加されている。
【００１８】
本発明でいう粉末ゼリーとは、加水、もしくは液状物を加え溶解もしくは懸濁・分散させ、半固形状や固形状、ペースト状で喫食するための食品を調製するための粉末状の素をいう。粉末ゼリーの例として、デザートベース、エネルギーゼリーの素、経腸栄養剤などが挙げられる。
【００１９】
本発明でいう粉末スープとは、熱湯に溶解、もしくは冷水溶解後加熱して食用に供する、スープを粉末状もしくは固形化とした食品をいう。粉末スープの例として、パンプキンスープ、トマトスープ、コーンポタージュスープ、顆粒状やフリーズドライの味噌汁の素、お吸い物の素、フリーズドライされた玉子スープやわかめスープなどが挙げられる。
【００２０】
本発明でいう粉末調味料は、１種以上の調味料成分を含有する。調味料成分は、例えば、発酵調味料（醤油、味噌、酢、酒等）、タンパク質分解物（アミノ酸類）、酵母エキス、塩、甘味料（ブドウ糖、庶糖等）、香辛料（コショウ、唐辛子等）、油脂類（植物油、動物油）、抽出エキス（畜産物、農産物、又は海産物由来）等である。例として粉末漬物用調味料、粉末煮物用調味料、粉末米飯用調味料、粉末麺用調味料、粉末畜肉加工用調味料、粉末水産加工用調味料、粉末スナック調味料などが挙げられる。さらに具体的には、漬物調味料として、浅漬け用調味料、キムチ用調味料、ぬか漬け用調味料、梅干し用調味料など、煮物用調味料としておでん用調味料、鍋物用調味料、煮込み料理用調味料など、米飯用調味料としては寿司酢、お茶漬け用調味料、チャーハン用調味料、炊き込みご飯用調味料、各種ふりかけやソフトふりかけなど、麺用調味料としてはラーメンスープ、焼きそばソース、うどんスープ、そばつゆ、パスタソースなど、畜肉加工用調味料としてハンバーグ用調味料、ハム・ソーセージ用調味料、ステーキソース、焼き肉ソースなど、水産加工用調味料として塩辛調味料、水産練り製品用調味料、水産珍味用調味料など、スナック用調味料としてシーズニングスパイスが挙げられる。
【００２１】
本発明でいうミックス粉とは小麦粉もしくは当該食品の基材となる粉体を主体としてそれらの目的に応じて各種澱粉、穀粉類、乾燥卵、粉末油脂、調味料、増粘多糖類、膨張剤などをあらかじめ混合した製品をいう。例えばホットケーキミックス、ドーナツミックス、ベーカリーミックス、唐揚げ粉、てんぷら粉、お好み焼き用粉、たこ焼き用粉、粉末ゼリーの素、粉末デザートの素、わらびもち用粉等が挙げられる。
【００２２】
本発明でいう和菓子とは、日本の伝統的製造法で作られた菓子であり、例として饅頭、  時雨、鹿の子、わらびもち、大福、団子、羽二重餅、羊羹、最中、きんつば、どら焼き、今川焼き、たい焼き、人形焼、練り切り、雪平、ういろう、すあま、こなし、飴、煎餅、落雁、金華糖、生姜糖、和三盆、都まんじゅう、のし梅、さなづら等が挙げられる。
【００２３】
本発明でいう洋菓子とは前項の和菓子以外の菓子類の総称であり、例としてスポンジケーキ、パウンドケーキ、カステラ、パイ、タルト、シュークリーム、チョコレート、アイスクリーム、プリン、ゼリー、ババロア、スフレ、バウムクーヘン、スイートポテト、ブッセ、蒸しケーキ、マフィン、スコーン、チーズケーキ、シフォンケーキ、クレープ、ビスケット、クッキー、ホットケーキ、パンケーキ、ジェラート、パワーバー等が挙げられる。
【００２４】
本発明でいうベーカリー食品は、小麦粉を主原料とし、必要に応じて全粒粉、ライ麦粉、コーンフラワー、そば粉、米粉等の穀粉を含む穀粉原料に、少なくとも水、食塩及び／又は気泡を生じせしめる材料を加え、更にそれぞれの食品を製造する上で必要な副材料を加えてドウもしくはバッターを形成し、これを加熱調理して含水率が約２〜５０％とした食品であって、加熱調理前又は加熱調理中にイースト、ベーキングパウダー、全卵、卵白等によって大なり小なり気泡を生じせしめた食品である。例としてオーブンで焼成するプルマン、イギリス食パン、ワンローフ等の食パン類、バゲット、パリジャン等のフランスパン、スイートロール、バンズ、テーブルロール等の各種ロール類の他、アンパン、メロンパン等の菓子パン、クロワッサンや各種デニッシュ、イングリッシュマフィン、ベーグル、ピザ、ナン等や、油で揚げるドーナツ、フリッター、蒸気で加熱される蒸しパン、中華饅頭等が挙げられる。尚、ここで用いられる副材料は、一般にベーカリー食品の製造に際して用いられている糖類、乳製品、油脂類、乳化剤、香料、香辛料、人工甘味料、着色料、洋酒類、レーズンその他の乾燥果実類、ナッツ類、ココアパウダー等である。さらには上記食品を二次加工して得られる食品、例えばパン粉やラスクといった食品も本発明のベーカリー食品に含まれる。
【００２５】
本発明でいう食品のその他の例として、粉末タイプのカスタードクリームやホイップクリーム等のクリーム類、フラワーペースト、ガム、グミ、キャンデー、ラムネ、タブレット、シリアル、スナック、米菓、パルスイートのようなスティックタイプのコーヒー用甘味料、クルトン、ドレッシング、チーズなどの乳製品、バニラ等の香り付けに用いる粉末フレーバー、ペットフード等が例示される。
【００２６】
（澱粉分解物の粘度）
本発明においては、粘度が、３０質量％水溶液において４０ｍＰａ・ｓ以上、１０質量％水溶液において２０ｍＰａ・ｓ以下の範囲に属する澱粉分解物を使用するのが好ましい。参考までに、市販のデキストリンでＤＥ（Ｄｅｘｔｒｏｓｅ  Ｅｑｕｉｖａｌｅｎｔ：ぶどう糖の還元力を１００とした場合の、試料の還元力）が２０程度のものに関する３０質量％の粘度は概ね１０ｍＰａ・ｓ未満であり、分解されていない澱粉は１０質量％において数万ｍＰａ・ｓ程度と高粘度を呈する。粘度がこの範囲にない澱粉分解物では本発明の効果が十分に発揮し得ない。すなわち、粘度が３０質量％水溶液において４０ｍＰａ・ｓ未満の澱粉分解物を用いた場合には、良好な希少糖含有粉末を得ることができず、また、１０質量％水溶液において、２０ｍＰａ・ｓ超の場合には、スプレー乾燥を行おうとする液の粘度が高くなりすぎ、スプレー乾燥を行うことができない。
【００２７】
（粘度の測定）
本発明において、３０質量％水溶液の粘度は、固形分換算で６０ｇの該当試料を内容量２００ｍｌのビ−カ−に秤取し、水を加えて合計量を２００ｇとし、試料が冷水可溶の場合はそのまま溶解し、熱水可溶の場合は９０℃まで昇温後冷却し、蒸発水分補正後、Ｂ型回転粘度計によって３０℃の粘度を測定した値として表示される。また、１０質量％水溶液の粘度は、固形分換算で２０ｇの該当試料を同ビーカーに秤取し水を加えて合計量を２００ｇとし、以下３０質量％水溶液の粘度の測定の場合と同様に測定した値として表示される。
【００２８】
次に、実施例により本発明を具体的に説明するが、これら実施例によって本発明が限定されるものではない。以下の実施例、比較例、試験例において他に明記しない限り、「部」は「質量部」である。
【実施例】
【００２９】
実施例１  （希少糖含有粉末の調製）
表１に示した澱粉分解物、ＴＫ−１６（松谷化学社製のマルトデキストリン）、パインデックス＃１、パインデックス＃１００（松谷化学社製のデキストリン）、エマルスター９００、フードテックス（松谷化学社製のヒドロキシプロピル化リン酸架橋澱粉の加水分解物）、エマルスターＡ１（松谷化学社製のオクテニルコハク酸澱粉ナトリウムの加水分解物）、スタビローズＴ−１０、スタビローズＫ（松谷化学社製の酸化澱粉）、ファイバーソル２（松谷化学社製の難消化性デキストリン）、及び比較として市販のワキシコーン澱粉、タピオカ澱粉について試験を行った。「レアシュガースウィート」（発売元：（株）レアスウィート、販売者：松谷化学工業（株））を（Ａ）、表１に示したサンプルを（Ｂ）として、表２に示した固形分配合で固形分が３０％となるようにスプレー供給液を調製した。サンプル７、８、１０、１１の酸化澱粉、及び澱粉を使用する場合は、所定の比率で混合した後、９０℃まで加温して澱粉を完全に糊化させた。得られた供給液は、スプレードライヤー（型式：ニロＰＭ−１０型、ニロジャパン株式会社製）を用いて、入口温度１６０℃、出口温度１００℃、アトマイザー回転数１４，５００ｒｐｍの条件で噴霧乾燥を行った。噴霧乾燥時の状態を観察した結果を表３に示した。なお、サンプル１０、１１は粘度が高すぎるためスプレー供給液の調製が困難であった。
【表１】
2014100091.tif 000002
【表２】
2014100091.tif 000003
【００３０】
実施例１で得られた粉末を用いて、粉体の吸湿性試験、並びに官能試験を実施した。吸湿試験は、粉末約２ｇを秤量缶に入れ、相対湿度３２％に調整したデシケータに２０℃で５日間放置し、粉末の状態を観察した。結果を表３に示す。
また、官能試験は、希少糖含有粉末の３０％溶液を調製し、５名のパネラーにより風味を評価した。結果を表４に示す。
【表３】
2014100091.tif 000004
【表４】
2014100091.tif 000005
【００３１】
実施例２  （粉末飲料）
実施例１において得られたサンプル３、質量構成比０．４３の粉末を試験粉末１として、表５に従って粉末飲料を調製した。得られた全量を５００ｍｌの水に溶解して甘味のさわやかなスポーツドリンクを得た。
【表５】
2014100091.tif 000006
【００３２】
実施例３  （粉末調味料、粉末スープ）
実施例１において得られた、サンプル３、質量構成比０．４３の粉末を試験粉末１として、表６に従って、コンソメ、コーンスープの素、うどんだしの素、焼きそばソースを調合した。
得られた製品はいずれも各々の用途に対して十分な性能を発揮した。
【表６】
2014100091.tif 000007
【００３３】
実施例４  （チャーハンの素）
実施例１において得られた、サンプル４、質量構成比０．４３の粉末を試験粉末２として、表７に従ってチャーハンの素を調製した。得られたチャーハンの素を用いて、チャーハンを試作した。すなわち、中火に熱したフライパンに食用油大さじ１、玉子１個を入れ、３０秒間炒め、白飯２５０ｇを加えて、更に１分間炒めた。一旦火を止めて、チャーハンの素を混ぜた後、強火で２分炒めた。得られたチャーハンは鮮やかな焦げ目がつき、ほぐれがよく、コクのある良好なチャーハンだった。
【表７】
2014100091.tif 000008
【００３４】
実施例５  （ホットケーキミックス）
実施例１において得られた、サンプル７、質量構成比０．８２の粉末を試験粉末３として、表８に従ってホットケーキミックスを調製した。得られたホットケーキミックスを用いて、ホットケーキを試作した。すなわちホットケーキミックス２００ｇに卵１個（Ｍサイズ）牛乳１００ｍｌを加えて、ホイッパーを使ってゆっくりとダマがなくなるまで混ぜ合わせた。混ぜ合わせた生地をフライパンに適量流し落として両面を焼成した。得られたホットケーキはしっかりした焼き色がつき、コクのある味の良好なものだった。
【表８】
2014100091.tif 000009
【００３５】
実施例６  （から揚げ粉）
実施例１において得られた、サンプル８、質量構成比０．８２の粉末を試験粉末４として、表９に従ってから揚げ粉を作成した。鶏もも肉１００に対して、得られたから揚げ粉１５、水１２をまぶして常法に従ってフライした。得られたから揚げは、比較的濃い揚げ色となり、やや歯ごたえのある良好なから揚げとなった。
【表９】
2014100091.tif 000010
【００３６】
実施例７  （わらびもちミックス）
実施例１において得られた、サンプル５、質量構成比０．６７の粉末を試験粉末５として、表１０に従って、簡便にわらびもちミックスを作成した。得られたわらびもちミックス２００ｇを片手なべに入れ、冷水４５０ｍｌを徐々に入れ乳液上になる様に充分に攪拌した。これを中火にかけ、焦げ防止の為、なべ底に力を入れて攪拌した。乳液状の中に徐々に塊が浮いてきた段階で、弱火にして更に攪拌を続けた。徐々に半透明になり、光沢が出てきて、白濁のない状態になった時点を練りあがりとした。練りあがったわらびもちをラップに包み厚みと形を整えそのまま水で冷却し、充分に冷えてからカットした。得られたわらびもちはコクのある甘味を示し、大変良好なわらびもちだった。
【表１０】
2014100091.tif 000011
【００３７】
実施例８  （粉末ゼリー）
実施例１において得られた、サンプル３、質量構成比０．４３の粉末を試験粉末１として、表１１に従って粉末ゼリーの素を作成した。得られた全量を１８０ｍｌの熱湯に溶解させ冷蔵庫で冷やしたところ、良好なゼリーが得られた。
【表１１】
2014100091.tif 000012
【００３８】
実施例９  （水羊羹）
実施例１において得られた、サンプル３、質量構成比０．４３の粉末を試験粉末１として、表１２に従って、希少糖含有粉末入り水羊羹を作成した。すなわち、鍋に、加水と粉末寒天を入れ、攪拌加熱溶解した後、グラニュー糖・トレハロース・試験粉末１を投入、攪拌加熱溶解した。そこに小豆こし生餡を投入溶解し、水溶きした澱粉・食塩を入れ、仕上がり糖度になるまで攪拌加熱した。得られた液をトロミがでる約６０℃まで冷却した後、カップに流し入れ、トップシール後流水等にて常温まで冷却してから、冷蔵もしくは冷凍保管した。
糖質中の約４０％使用処方で、スッキリとした甘味の水羊羹が得られた。冷蔵保管した後も硬化・離水を抑制し、ソフトでなめらかな食味を維持しており、冷凍保存、自然解凍での喫食も十分可能だった。
【表１２】
2014100091.tif 000013
【００３９】
（洋菓子：クッキー）
実施例１において得られた、サンプル３、質量構成比０．４３の粉末を試験粉末１として、表１３に従ってクッキーを作成した。（１）を予め混合し、ここに全卵を添加し、混合した。さらに（２）を添加し、混合した生地を厚さ４．５ｍｍまで圧延し、内径５５ｍｍの丸型で型抜した。上火１６０℃・下火１４０℃の電気炉で１４分焼成し、クッキーを得た。得られたクッキーは、コントロールに比べて焼き色が強めでコクがあり、良好なクッキーだった。
【表１３】
2014100091.tif 000014
【００４０】
（ベーカリー食品）
実施例１において得られた、サンプル７、質量構成比０．８２の粉末を試験粉末３として、表１４、１５に従って、テーブルロールを作成した。焼き色、形状ともに優れたテーブルロールが得られた。
【表１４】
2014100091.tif 000015
【表１５】
2014100091.tif 000016
【産業上の利用可能性】
【００４１】
希少糖含有シロップを、スプレードライ等の既存の設備を改変することなく粉末をすることが可能となり、得られる希少糖含有粉末により、希少糖含有シロップの粉末飲料や粉末調味料といった粉末食品への応用が簡単にできるようになる。この技術により、現場の作業性と衛生面の改善を図ることができ、液状では困難であった広範な食品分野への応用も可能となる。